(57)【特許請求の範囲】
【請求項１】
床下地上に敷き並べられる複数枚の床仕上材を突き合わせて連結する連結構造において、
少なくとも部屋の周囲以外の床仕上材を床下地上に固定せず、
互いに突き合わせられる床仕上材の夫々の側面に半球状または円弧状の溝部を形成し、
これら溝部に球体または円柱状の弾性体を脱着可能に嵌合させて隣り合う床仕上材同士の連結を図り、
前記弾性体の直径を床仕上材の厚みの４分の３以下に形成するとともに、前記溝部の深さを弾性体の直径の２分の１以上に形成して弾性体の弾性力を利用して仕上材同士を着脱可能に連結し、
前記溝部から下面に向う床仕上材の側面は内側に後退し、連結時に弾性体の下方に隙間を形成し、この隙間を埋めるように弾性体に板状部を連成し、この板状部の下端側に隣り合う床仕上材の夫々の下面に延びるベース板を形成し、このベース板が位置する床仕上材の下面に緩衝体を設けたことを特徴とする床仕上材の連結構造。
【発明の詳細な説明】
【０００１】
【発明の属する技術分野】
この発明は、複数枚の床仕上材を互いに突き合わせて床下地上に敷設して床を構成するとき、各床仕上材同士を連結するための構造に関する。
【０００２】
【従来の技術】
従来の床仕上材の連結構造は、床下地を施工し、この上に木質系の所定の大きさの床仕上材を敷設するとき、互いに突き合わせられる床仕上材の側面（木口）に本実加工を施し、実と小穴を嵌合させて連結していた。床下地に対しては釘や接着剤で床仕上材を貼付していた。また、床仕上材の施工初期の効率を上げるため、長方形状の４辺に本実加工を施した床仕上材を両面テープで床下地上に固定しておく方法も採用されていた。
【０００３】
【発明が解決しようとする課題】
従来の床構造では、床仕上材は床下地に固定され、床仕上材同士も本実加工で連結されるため、床仕上材の取外しを簡単に行ったり、再セットを可能とすることは不可能ないしはなはだ困難であった。床仕上材の取外しや再セットを必要とする場合としては、傷ついたり破損した床仕上材を交換する必要が生じたとき、間仕切り個所を変更したいとき、床下の点検や床下に収納庫を設置したときなどがある。
【０００４】
そこで、この発明は、施工が簡単でかつ床仕上材を一枚単位でどの位置からでも脱着できるようにした床仕上材の連結構造を提供することを目的とする。
【０００５】
【課題を解決するための手段】
上述の目的を達成するため、この発明は、床下地上に敷き並べられる複数枚の床仕上材を突き合わせて連結する連結構造において、少なくとも部屋の周囲以外の床仕上材を床下地上に固定せず、互いに突き合わせられる床仕上材の夫々の側面に半球状または円弧状の溝部を形成し、これら溝部に球体または円柱状の弾性体を脱着可能に嵌合させて隣り合う床仕上材同士の連結を図り、前記弾性体の直径を床仕上材の厚みの４分の３以下に形成するとともに、前記溝部の深さを弾性体の直径の２分の１以上に形成して弾性体の弾性力を利用して仕上材同士を着脱可能に連結し、前記溝部から下面に向う床仕上材の側面は内側に後退し、連結時に弾性体の下方に隙間を形成し、この隙間を埋めるように弾性体に板状部を連成し、この板状部の下端側に隣り合う床仕上材の夫々の下面に延びるベース板を形成し、このベース板が位置する床仕上材の下面に緩衝体を設けたものである。
【０００６】
【発明の実施の形態】
以下に、この発明の好適な実施例を図面を参照にして説明する。
【０００７】
図１に示す実施例では、床下地１上に敷き並べられる複数枚の床仕上材２を突き合わせて連結する連結構造を示し、互いに突き合わせられる床仕上材２の夫々の側面２Ａ，２Ｂに溝部３を夫々形成し、これら溝部３に弾性体４を脱着可能に嵌合させて隣り合う床仕上材２同士の連結を図っている。この図１に示す実施例では、溝部３を半球状または円弧状に形成し、弾性体４を球体または円柱状に形成した。円弧状の溝部３を形成するとき、この溝部３は１枚の床仕上材２の側面長手方向の全体にわたってもよいし、部分的であってもよい。この溝部３が全長にわたる場合には弾性体４も全長にわたるようにし、部分的に溝部３を形成した場合には、弾性体４もこの部分的な溝部３に合う長さとするか、あるいは溝部３の長さの全長にわたらず部分的に嵌合させることもできる。さらに、溝部３の形状も断面円弧状である必要はなく、矩形状やその他の多角形状であってもよい。仕上材２は、木質系のものとする。
【０００８】
弾性体４の直径ｄは、床仕上材２の厚みｔとの関係において、ｄ≦３／４・ｔ、の関係とする。また、溝部３の深さＡは、弾性体４の直径との関係において、Ａ≧１／２・ｄ、の関係とする。弾性体４は、ゴムや樹脂材料などから形成する。また、溝部３から下面に向かう床仕上材２の側面は内側に後退し、連結時に弾性体４の下方に隙間５を形成してある。なお、床下地１としてはベニア合板などが使用され、あるいは支持脚を有するパネル体であってもよい。
【０００９】
図２に示す実施例では、図１に示す隙間５を埋めるように弾性体４に板状部４Ａを連成するとともに、この板状部４Ａの下端側に隣り合う床仕上材２の夫々の下面に延びるベース板４Ｂを形成したものを示す。このベース板４Ｂは床下地１に対して固定する。このベース板４Ｂも弾性体４と同一材料で一体に成形しておく。
【００１０】
図３に示す実施例では、互いに突き合わせられる床仕上材２に変則的な相欠き加工を施し、一方の床仕上材２の下部延出部２１に係合部材６を上方に突出させて設けてある。また、他方の床仕上材２の上部延出部２２にはこの係合部材６が係脱する係合穴７を設けてある。この図３に示す実施例では、下部延出部２１に係合部材６を一体的に形成したが、図４に示すように弾性材料で別個に形成した係合部材６を下部延出部２１に取付けるようにしてもよい。
【００１１】
図５に示す実施例では、互いに突き合わせられる床仕上材２の夫々下面側に係合孔７Ａを形成し、これら係合孔２Ａに対し２つの係合部材６Ａ，６Ｂが連結プレート６Ｃで連結した部材を用いる。この連結プレート６Ｃ上には少なくとも２つの係合部材６Ａ，６Ｂを有するが、４枚の床仕上材を突き合わせた十文字の個所では、連結プレート６Ｃ上に４つの係合部材６Ａ、６Ｂ、６Ｄ、６Ｅを設けることもできる（図６参照）。図７は図６に示すような係合部材を用いてもよいが、連結プレート６Ｃを長尺状に形成し、この長尺状の連結プレート６Ｃ上に一対の係合部材６Ａ，６Ｂを多数設けることもできる。
【００１２】
図８に示す実施例は、図２に示す実施例において、べース板４Ｂの厚みが床仕上材２の下面に位置するので、緩衝体８を床仕上材２の下面に設けた例を示す。この緩衝体８としては、織布、ゴム、ウレタン樹脂などが使用できる。
【００１３】
図９及び図１０に示す実施例では、間仕切り１０を変更する例を示すものであり、図１に示す実施例の床仕上材２の連結構造を用いているので、図９に示す状態において間仕切り１０及び巾木１１を撤去し、床仕上材２を取外して移動すべき位置に間仕切り１０をセットし、床仕上材２を再セットし互いに連結させることで、間仕切り位置の変更を容易に行うことができる例を示すものである。
【００１４】
図１１に示す実施例では、この床仕上材２の連結構造を用いた場合、床下に点検口乃至収納庫１２を形成したとき、従来であればこの収納庫など１２の個所に表側に現れる蓋を設けたが、この床構造を採用すれば蓋１３を床仕上材２で覆うことができる。
【００１５】
【発明の効果】
以上説明したように、この発明によれば、床下地上に敷き並べられる複数枚の床仕上材を突き合わせて連結する連結構造において、少なくとも部屋の周囲以外の床仕上材を床下地上に固定せず、互いに突き合わせられる床仕上材の夫々の側面に半球状または円弧状の溝部を形成し、これら溝部に球体または円柱状の弾性体を脱着可能に嵌合させて隣り合う床仕上材同士の連結を図り、前記弾性体の直径を床仕上材の厚みの４分の３以下に形成するとともに、前記溝部の深さを弾性体の直径の２分の１以上に形成して弾性体の弾性力を利用して仕上材同士を着脱可能に連結し、前記溝部から下面に向う床仕上材の側面は内側に後退し、連結時に弾性体の下方に隙間を形成し、この隙間を埋めるように弾性体に板状部を連成し、この板状部の下端側に隣り合う床仕上材の夫々の下面に延びるベース板を形成し、このベース板が位置する床仕上材の下面に緩衝体を設けたので、互いの連結は固定的ではなく、弾性体の弾性力を利用して着脱が可能であり、床仕上材を取外し、取り替えたり、移動させたりすることが容易に行える。また、床仕上材の移動が簡単であるため、間仕切りなどのレイアウトを変更することも容易である。さらには、床下の点検口や収納庫があっても床仕上材が脱着可能なため、床表面に開口部用の蓋が不要となり、床表面を有効にかつ外観を損なわずに活用することができる。
【図面の簡単な説明】
【図１】この発明の好適な実施例を示す断面図。
【図２】他の実施例を示す断面図。
【図３】さらに別の実施例を示す断面図。
【図４】図３の実施例において係合部材を弾性材料で形成した例を示す。
【図５】さらに他の実施例を示す断面図。
【図６】十字の目地部に図５の実施例を適用した例を示す平面略図。
【図７】互いの突き合わせ個所の長手方向に沿って図５に示す実施例を適用した例を示す平面略図。
【図８】さらに別の実施例を示す断面図。
【図９】この床仕上材を用いた部屋の中間で間仕切りを設定した例を示す断面図。
【図１０】図９の間仕切りを移動してレイアウトを変更した状態を示す断面図。
【図１１】床下に点検口や収納庫を形成した場合におけるこの床仕上材の適用例を示す断面図。
【符号の説明】
１  床下地
２  仕上材
３  溝部
４  弾性体
【図１】
0004452352.tif 000002
【図２】
0004452352.tif 000003
【図３】
0004452352.tif 000004
【図４】
0004452352.tif 000005
【図５】
0004452352.tif 000006
【図６】
0004452352.tif 000007
【図７】
0004452352.tif 000008
【図８】
0004452352.tif 000009
【図９】
0004452352.tif 000010
【図１０】
0004452352.tif 000011
【図１１】
0004452352.tif 000012